(57)【特許請求の範囲】
【請求項１】
上下方向に延びるとともに水平方向に互いに離れて配置された第１支柱及び第２支柱と、前記各支柱を支持するジャッキベースと、複数の布材と、複数の足場板と、仮設足場用手摺とを備え、前記第１支柱及び前記第２支柱の上部にそれぞれ上部係止孔が設けられ、前記第１支柱及び前記第２支柱の前記上部係止孔から下方へ離れた部分にそれぞれクランプが取り付けられた仮設足場において、
前記第１支柱に取り付けられた前記クランプは、前記第１支柱を径方向両側から挟持する第１挟持部材及び第２挟持部材と、前記第１挟持部材及び前記第２挟持部材の基端側同士を回動可能に連結する連結軸と、前記第１挟持部材及び前記第２挟持部材の先端側同士を締結するボルト及びナットとを備え、前記第１挟持部材及び前記第２挟持部材には、それぞれ、下部係止孔となるポケットが形成され、
前記第２支柱に取り付けられた前記クランプは、前記第２支柱を径方向両側から挟持する第１挟持部材及び第２挟持部材と、前記第１挟持部材及び前記第２挟持部材の基端側同士を回動可能に連結する連結軸と、前記第１挟持部材及び前記第２挟持部材の先端側同士を締結するボルト及びナットとを備え、前記第１挟持部材及び前記第２挟持部材には、それぞれ、下部係止孔となるポケットが形成され、
前記仮設足場用手摺は、
前記第１支柱から前記第２支柱まで延びる水平材と、
前記水平材の下方において互いに交差するように配置される第１ブレース及び第２ブレースと、
前記水平材の前記第１支柱側の端部及び前記水平材の前記第２支柱側の端部にそれぞれ取り付けられた第１上部楔材及び第２上部楔材と、
前記第１ブレースの下端部及び前記第２ブレースの下端部にそれぞれ取り付けられた第１下部楔材及び第２下部楔材と、
前記第１下部楔材を支持する第１楔材側ブラケットと、
前記第２下部楔材を支持する第２楔材側ブラケットとを備え、
前記第１上部楔材及び第２下部楔材が前記第１支柱に設けられた前記上部係止孔及び前記下部係止孔にそれぞれ差し込まれ、前記第２上部楔材及び第１下部楔材が前記第２支柱に設けられた前記上部係止孔及び前記下部係止孔にそれぞれに差し込まれた状態で前記仮設足場用手摺が前記第１支柱及び前記第２支柱に取り付けられ、
前記水平材は、前記第１支柱側の第１水平材と、前記第２支柱側の第２水平材と、前記第１水平材及び前記第２水平材を連結する中間水平材とを有し、前記第１水平材及び前記第２水平材は、前記中間水平材よりも大径とされており、前記第１水平材及び前記第２水平材に前記中間水平材が挿入可能とされ、前記中間水平材の前記第１水平材及び前記第２水平材への挿入深さを変えることで前記水平材が伸縮自在となっており、
前記第１ブレースの上端部は、前記第１水平材の前記第１支柱側の端部に対して連結ピンによって上下方向に揺動自在に取り付けられ、
前記第２ブレースの上端部は、前記第２水平材の前記第２支柱側の端部に対して連結ピンによって上下方向に揺動自在に取り付けられ、
前記第１下部楔材は、前記第１ブレースの下端部に対して上下方向に揺動自在に取り付けられ、
前記第２下部楔材は、前記第２ブレースの下端部に対して上下方向に揺動自在に取り付けられ、
前記第１楔材側ブラケットは前記第１ブレースの下端部に対して水平方向に揺動自在に取り付けられ、
前記第２楔材側ブラケットは前記第２ブレースの下端部に対して水平方向に揺動自在に取り付けられていることを特徴とする仮設足場。
【請求項２】
請求項１に記載の仮設足場において、
前記第１ブレース及び前記第２ブレースは、伸縮自在に構成されていることを特徴とする仮設足場。
【請求項３】
請求項１に記載の仮設足場において、
前記第１ブレースの下端部は、第１ブレース側ブラケットを有しており、
前記第１ブレース側ブラケットは、前記第１ブレースの下端部に対して上下方向に揺動自在に取り付けられ、
前記第１楔材側ブラケットは、前記第１ブレース側ブラケットに対して水平方向に揺動自在に取り付けられていることを特徴とする仮設足場。
【請求項４】
請求項３に記載の仮設足場において、
前記第１ブレース側ブラケットは、金属製の板材からなり、前記第１ブレースの下端部を水平方向に挟むように形成された一対の連結板部を有していることを特徴とする仮設足場。
【請求項５】
請求項４に記載の仮設足場において、
一対の前記連結板部と前記第１ブレースの下端部とを水平方向に貫通するボルト及び当該ボルトに螺合するナットにより、前記第１ブレース側ブラケットが前記第１ブレースの下端部に連結されていることを特徴とする仮設足場。
【発明の詳細な説明】
【技術分野】
【０００１】
本発明は、仮設足場に関する。
【背景技術】
【０００２】
従来より、各種建築物の建築現場や土木作業現場では、その作業内容に応じて仮設足場が構築される。一般的な仮設足場は、例えば特許文献１に開示されているように、複数本の支柱と、これら支柱を連結する布材と、布材に掛け渡されて作業床を形成する足場板等で構成されている。また、仮設足場には、作業床上での作業者の安全を確保するため、手摺も設けられている。
【０００３】
特許文献１の手摺は、水平方向に延びる水平材と、水平材の下方で互いに交差するように配設される一対のブレースとを備えている。各ブレースの上端部及び下端部には、支柱の楔孔に係止する係止機構がそれぞれ設けられている。下端部の係止機構は、支柱の楔孔に差し込まれる楔材と、楔材が取り付けられるブラケットと、ブラケットを上下方向に延びる揺動軸周りに回動可能に支持する枢軸とを備えている。
【先行技術文献】
【特許文献】
【０００４】
【特許文献１】特開２０１６−１６９５７７号公報
【発明の概要】
【発明が解決しようとする課題】
【０００５】
特許文献１では、楔材が取り付けられるブラケットを上下方向に延びる枢軸によって回動可能に支持しているので、例えば円筒状のタンクのような湾曲した外壁面を有する建築物を建築する現場において当該建築物に沿うように手摺を設置することが可能になる。
【０００６】
ところで、支柱の間隔は一定であるとは限らず、変更になることがある。支柱の間隔が変わると、手摺の水平材の長さが変わるとともに、手摺に設けられている楔材の水平方向の距離も変わることになる。しかしながら、特許文献１では、水平材の長さが固定されているので、支柱の間隔が変わると、その間隔に対応するように水平材も変える必要があった。
【０００７】
さらに、支柱の間隔が変わると、ブレースの角度も変わることになるが、このブレースの端部には、楔材がブラケットを介して支持されているので、楔材の角度もブレースの角度に応じて変わることになる。しかしながら、楔材の楔孔に対する差し込み角度は決まっているので、楔材の角度を楔孔に対して変えることはできない。このため、支柱の間隔が変わると、その間隔に対応するようにブレースも変える必要があった。
【０００８】
つまり、支柱の間隔に合わせて水平材、ブレースを複数種用意しなければならないので、コストの高騰を招くおそれがあった。
【０００９】
本発明は、かかる点に鑑みてなされたものであり、その目的とするところは、支柱の間隔が変わってもその間隔の変化に追従させて共通の手摺を使用できるようにすることにある。
【課題を解決するための手段】
【００１０】
上記目的を達成するために、第１の発明は、上下方向に延びるとともに水平方向に互いに離れて配置された第１支柱及び第２支柱と、前記各支柱を支持するジャッキベースと、複数の布材と、複数の足場板と、仮設足場用手摺とを備え、前記第１支柱及び前記第２支柱の上部にそれぞれ上部係止孔が設けられ、前記第１支柱及び前記第２支柱の前記上部係止孔から下方へ離れた部分にそれぞれクランプが取り付けられた仮設足場において、前記第１支柱に取り付けられた前記クランプは、前記第１支柱を径方向両側から挟持する第１挟持部材及び第２挟持部材と、前記第１挟持部材及び前記第２挟持部材の基端側同士を回動可能に連結する連結軸と、前記第１挟持部材及び前記第２挟持部材の先端側同士を締結するボルト及びナットとを備え、前記第１挟持部材及び前記第２挟持部材には、それぞれ、下部係止孔となるポケットが形成され、前記第２支柱に取り付けられた前記クランプは、前記第２支柱を径方向両側から挟持する第１挟持部材及び第２挟持部材と、前記第１挟持部材及び前記第２挟持部材の基端側同士を回動可能に連結する連結軸と、前記第１挟持部材及び前記第２挟持部材の先端側同士を締結するボルト及びナットとを備え、前記第１挟持部材及び前記第２挟持部材には、それぞれ、下部係止孔となるポケットが形成され、前記仮設足場用手摺は、前記第１支柱から前記第２支柱まで延びる水平材と、前記水平材の下方において互いに交差するように配置される第１ブレース及び第２ブレースと、前記水平材の前記第１支柱側の端部及び前記水平材の前記第２支柱側の端部にそれぞれ取り付けられた第１上部楔材及び第２上部楔材と、前記第１ブレースの下端部及び前記第２ブレースの下端部にそれぞれ取り付けられた第１下部楔材及び第２下部楔材と、前記第１下部楔材を支持する第１楔材側ブラケットと、前記第２下部楔材を支持する第２楔材側ブラケットとを備え、前記第１上部楔材及び第２下部楔材が前記第１支柱に設けられた前記上部係止孔及び前記下部係止孔にそれぞれ差し込まれ、前記第２上部楔材及び第１下部楔材が前記第２支柱に設けられた前記上部係止孔及び前記下部係止孔にそれぞれに差し込まれた状態で前記仮設足場用手摺が前記第１支柱及び前記第２支柱に取り付けられ、前記水平材は、伸縮自在に構成されており、前記第１ブレースの上端部は、前記水平材の前記第１支柱側の端部に対して上下方向に揺動自在に取り付けられ、前記第２ブレースの上端部は、前記水平材の前記第２支柱側の端部に対して上下方向に揺動自在に取り付けられ、前記第１下部楔材は、前記第１ブレースの下端部に対して上下方向に揺動自在に取り付けられ、前記第２下部楔材は、前記第２ブレースの下端部に対して上下方向に揺動自在に取り付けられ、前記第１楔材側ブラケットは前記第１ブレースの下端部に対して水平方向に揺動自在に取り付けられ、前記第２楔材側ブラケットは前記第２ブレースの下端部に対して水平方向に揺動自在に取り付けられていることを特徴とする。
【００１１】
この構成によれば、水平材に取り付けられている第１上部楔材及び第２上部楔材をそれぞれ第１支柱の上部係止孔及び第２支柱の上部係止孔に差し込み、また、第２ブレースの第２下部楔材及び第１ブレースの第１下部楔材をそれぞれ第１支柱の下部係止孔及び第２支柱の下部係止孔に差し込むことで、仮設足場用手摺が第１支柱及び第２支柱に取り付けられる。尚、係止孔は楔材が差し込まれる孔なので、楔孔と呼ぶこともできる。
【００１２】
例えば、第１支柱と第２支柱の間隔を狭くした場合、水平材を縮めることで当該水平材が第１支柱と第２支柱の間隔に対応する長さになる。これにより、第１支柱と第２支柱の間隔が狭くなっても、水平材の第１上部楔材及び第２上部楔材をそれぞれ第１支柱の上部係止孔及び第２支柱の上部係止孔に差し込むことが可能になる。また、第１支柱と第２支柱の間隔が狭くなると、第１ブレース及び第２ブレースの傾斜角度が大きくなり、両ブレースの交差角度が変わる。第１ブレースの下端部には、上下方向に揺動自在に第１下部楔材が取り付けられているので、第１ブレースの傾斜角度が大きくなっても、第１下部楔材の角度は一定に保たれて、第２支柱の下部係止孔に差し込み可能になる。同様に、第２ブレースの下端部に上下方向に揺動自在に第２下部楔材が取り付けられているので、第２ブレースの傾斜角度が大きくなっても、第１支柱の下部係止孔に差し込み可能になる。
【００１３】
また、第１支柱と第２支柱の間隔を広くした場合には、水平材を伸ばすことで当該水平材が第１支柱と第２支柱の間隔に対応する長さになる。これにより、第１支柱と第２支柱の間隔が広くなっても、水平材の第１上部楔材及び第２上部楔材をそれぞれ第１支柱の上部係止孔及び第２支柱の上部係止孔に差し込むことが可能になる。また、第１支柱と第２支柱の間隔が広くなると、第１ブレース及び第２ブレースの傾斜角度が小さくなり、両ブレースの交差角度が変わる。この場合も、第１下部楔材及び第２下部楔材の角度が一定に保たれるので、第１支柱の下部係止孔及び第２支柱の下部係止孔に差し込むことが可能である。
【００１４】
また、第１下部楔材を第１ブレースの下端部に対して水平方向に揺動させることができ、また、第２下部楔材を第２ブレースの下端部に対して水平方向に揺動させることができるので、湾曲した外壁面を有する建築物に沿うように手摺を設置することが可能になる。
【００１５】
第２の発明は、前記第１ブレース及び前記第２ブレースは、伸縮自在に構成されていることを特徴とする。
【００１６】
この構成によれば、例えば水平材の高さが変わることなく、第１支柱及び第２支柱の下部係止孔の高さ高くなった場合には、第１ブレース及び第２ブレースを縮めることで、第１ブレース及び第２ブレースの長さを下部係止孔の高さに対応する長さにすることができる。また、水平材の高さが変わることなく、第１支柱及び第２支柱の下部係止孔の高さ低くなった場合には、第１ブレース及び第２ブレースを伸ばすことで、第１ブレース及び第２ブレースの長さを下部係止孔の高さに対応する長さにすることができる。
【００１７】
第３の発明は、前記第１ブレースの下端部は、第１ブレース側ブラケットを有しており、前記第１ブレース側ブラケットは、前記第１ブレースの下端部に対して上下方向に揺動自在に取り付けられ、前記第１楔材側ブラケットは、前記第１ブレース側ブラケットに対して水平方向に揺動自在に取り付けられていることを特徴とする。
【００１８】
この構成によれば、第１楔材を、第１ブレース側ブラケット及び第１楔材側ブラケットを介して第１ブレースに取り付けることにより、上下方向及び水平方向のいずれにも揺動自在にすることができる。
【００１９】
第４の発明は、前記第１ブレース側ブラケットは、金属製の板材からなり、前記第１ブレースの下端部を水平方向に挟むように形成された一対の連結板部を有していることを特徴とする。
【００２０】
この構成によれば、第１ブレース側ブラケットを一対の連結板部によって第１ブレースの下端部に連結することが可能になる。
【００２１】
第５の発明は、一対の前記連結板部と前記第１ブレースの下端部とを水平方向に貫通するボルト及び当該ボルトに螺合するナットにより、前記第１ブレース側ブラケットが前記第１ブレースの下端部に連結されていることを特徴とする。
【００２２】
この構成によれば、ボルト及びナットを利用することによって第１ブレース側ブラケットを第１ブレースの下端部に簡単に取付可能にしながら、第１ブレース側ブラケットを上下方向に揺動させることができる。
【発明の効果】
【００２３】
本発明によれば、水平材を伸縮自在に構成し、第１下部楔材を第１ブレースの下端部に対して上下方向に揺動自在に取り付けるとともに、第２下部楔材を第２ブレースの下端部に対して上下方向に揺動自在に取り付けたので、支柱の間隔が変わってもその間隔の変化に追従させて共通の手摺を使用できる。
【図面の簡単な説明】
【００２４】
【図１】本発明の実施形態に係る仮設足場の一部を示す斜視図である。
【図２】実施形態１に係る仮設足場用手摺の使用状態を示す正面図である。
【図３】実施形態１に係る仮設足場用手摺の正面図である。
【図４】第１下部楔材が取り付けられた第１ブレースの下端部を上方から見た斜視図である。
【図５】第１下部楔材が取り付けられた第１ブレースの下端部の正面図である。
【図６】第１下部楔材が取り付けられた第１ブレースの下端部の平面図である。
【図７】支柱の間隔が狭い場合の図２相当図である。
【図８】実施形態２に係る図２相当図である。
【図９】実施形態２に係る図３相当図である。
【図１０】実施形態２に係る図７相当図である。
【図１１】ポケットクランプの平面図である。
【図１２】開放状態にあるポケットクランプの平面図である。
【図１３】ポケットクランプの斜視図である。
【発明を実施するための形態】
【００２５】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２６】
（実施形態１）
図１は、本発明の実施形態１に係る仮設足場用手摺１が取り付けられた仮設足場１００の一部を示す斜視図である。仮設足場１００は、上下方向に延びる複数の支柱１０１Ａ、１０１Ｂ、１０１Ｃ、…と、各支柱１０１Ａ、１０１Ｂ、１０１Ｃ、…を支持するジャッキベース１０２と、複数の布材１０３と、複数の足場板１０４と、本発明の実施形態１に係る仮設足場用手摺１とを備えている。仮設足場１００は、各種建築物の建築現場や土木作業現場において、その作業に応じて構築されるものであり、例えば円筒状のタンクのような湾曲した外壁面を有する建築物を建築する現場では、当該建築物の外壁面に沿うように構築される。
【００２７】
図２は、仮設足場１００の一部を拡大して示すものである。この図２では、第１支柱１０１Ａと、第２支柱１０１Ｂと、ジャッキベース２と、足場板１０４と、仮設足場用手摺１とを示し、他の部材は省略しているが、図１に示すように他の部材と共に仮設足場１００の一部を構成している。
【００２８】
第１支柱１０１Ａ及び第２支柱１０１Ｂは、例えば円形断面を有する金属製パイプで構成されており、水平方向に互いに離れて配置されるとともに互いに平行である。第１支柱１０１Ａ及び第２支柱１０１Ｂには、上下両方向に開放された複数のポケットＰが径方向に張り出すように設けられている。各ポケットＰは、例えば鋼板等の金属製板材を屈曲成形してなるものであり、上記金属製パイプに溶接されている。同一高さ位置に４つのポケットＰが設けられており、これら４つのポケットＰは上記金属製パイプの周方向に９０度おき（等間隔）に配置されている。また、４つのポケットＰを１組とした場合、各組は上下方向に互いに間隔をあけて配置されている。尚、ポケットＰに限らず、フランジであってもよい。フランジの場合、楔材の差し込みが可能な係止孔（楔孔）が当該フランジを上下方向に貫通するように形成されている。
【００２９】
ポケットＰ内の孔が係止孔（楔孔）である。図２に示すように、第１支柱１０１ＡのポケットＰのうち、仮設足場用手摺１が取り付けられるのは上下方向に離れた２つのポケットＰである。仮設足場用手摺１が取り付けられるポケットＰのうち、上側に位置するポケットＰ内の孔を上部係止孔Ｐ１とし、下側に位置するポケットＰ内の孔を下部係止孔Ｐ２とする。また、第２支柱１０１ＢのポケットＰのうち、仮設足場用手摺１が取り付けられるのは上下方向に離れた２つのポケットＰである。仮設足場用手摺１が取り付けられるポケットＰのうち、上側に位置するポケットＰ内の孔を上部係止孔Ｐ３とし、下側に位置するポケットＰ内の孔を下部係止孔Ｐ４とする。
【００３０】
仮設足場用手摺１は、足場板１０４によって形成される作業床上で作業者が各種作業を行う際に作業者の安全を確保するための足場構成部材である。本例の仮設足場用手摺１は、先行手摺である。すなわち、足場板１０４によって作業床を形成する前の段階で仮設足場用手摺１を第１支柱１０１Ａ及び第２支柱１０１Ｂに取り付けておき、仮設足場用手摺１の取付が完了したら、足場板１０４を第１支柱１０１Ａ及び第２支柱１０１Ｂに取り付ける。このような工法は手摺先行工法等と呼ばれている。
【００３１】
仮設足場用手摺１は、水平材１０と、第１ブレース２０と、第２ブレース３０と、第１上部楔材４１及び第２上部楔材４０と、第１下部楔材４２及び第２下部楔材４３とを備えている。水平材１０は、第１支柱１０１Ａから第２支柱１０１Ｂまで水平に延びる部材であり、例えば金属製パイプ材で構成することができる。水平材１０は伸縮自在に構成されている。具体的には、水平材１０は、第１支柱１０１Ａ側の第１水平材１０ａと、第２支柱１０１Ｂ側の第２水平材１０ｂと、第１水平材１０ａ及び第２水平材１０ｂを連結する中間水平材１０ｃとを有している。第１水平材１０ａ及び第２水平材１０ｂは、中間水平材１０ｃよりも大径とされており、第１水平材１０ａ及び第２水平材１０ｂに中間水平材１０ｃを挿入することができるようになっている。例えば、中間水平材１０ｃの一端部を第１水平材１０ａに固定しておき、中間水平材１０ｃの他端部を第２水平材１０ｂに挿入可能にし、その挿入深さを変えることで、第１水平材１０ａ及び第２水平材１０ｂの間隔、即ち水平材１０の長さを略無段階に変えることができる。水平材１０の長さを所定長さにした状態で保持できるように、中間水平材１０ｃを第２水平材１０ｂに対して固定するボルトやねじを設けてもよい。水平材１０の伸縮構造は上述した構造に限られるものではなく、他の伸縮構造を用いることもでき、例えば水平材１０を２つの部材で構成することもできる。
【００３２】
第１水平材１０ａにおける第１支柱１０１Ａ側の端部は下方へ屈曲している。第１水平材１０ａにおける第１支柱１０１Ａ側の端部には、第１上部楔材４１が取り付けられている。第１上部楔材４１は、下方へ突出する金属製板材で構成されており、第１支柱１０１Ａに設けられているポケットＰの上部係止孔Ｐ１に対して上方から差し込み可能となっている。
【００３３】
第２水平材１０ｂにおける第２支柱１０１Ｂ側の端部も下方へ屈曲している。第２水平材１０ｂにおける第２支柱１０１Ｂ側の端部には、第２上部楔材４０が取り付けられている。第２上部楔材４０は、第１上部楔材４１と同様に構成されている。第２上部楔材４０は、第２支柱１０１Ｂに設けられているポケットＰの上部係止孔Ｐ３に対して上方から差し込み可能となっている。第１上部楔材４１及び第２上部楔材４２の形状や大きさはポケットＰに合うように設定すればよく、図示した形状に限られるものではない。
【００３４】
第１ブレース２０及び第２ブレース３０は、水平材１０の下方において互いに交差するように配置される部材であり、水平材１０と同様な金属製パイプで構成されている。第１ブレース２０及び第２ブレース３０は筋交いと呼ぶこともできる。第１ブレース２０の上端部は、水平材１０の第１支柱１０１Ａ側の端部に対して上下方向に揺動自在に取り付けられている。例えば、水平材１０の延びる方向に対して直交する水平方向に延びる連結ピン５０によって第１ブレース２０の上端部が第１水平材１０ａの第１支柱１０１Ａ側の端部に連結されている。これにより、第１ブレース２０はその上端部を揺動中心として下端部が上下方向に移動するように揺動可能になる。
【００３５】
第１ブレース２０は伸縮自在に構成されている。例えば、第１ブレース２０は、小径部材２１と大径部材２２とが組み合わされて構成されている。大径部材２２は第１ブレース２０の下側を構成しており、小径部材２１の下端部を大径部材２２に挿入可能にし、その挿入深さを変更可能にすることで、第１ブレース２０の長さを変更することができる。水平材１０と同様に、第１ブレース２０の長さを所定長さにした状態で保持できるように、小径部材２１を大径部材２２に対して固定するボルトやねじを設けてもよい。第１ブレース２０の伸縮構造は上述した構造に限られるものではなく、他の伸縮構造を用いることもできる。
【００３６】
図４〜図６に示すように、第１下部楔材４２は、第１ブレース２０の下端部に対して上下方向に揺動自在に取り付けられ、この取付状態で水平方向にも揺動可能となっている。仮設足場用手摺１は、第１下部楔材４２を支持する第１楔材側ブラケット６０を備えている。また、第１ブレース２０の下端部である大径部材２２の下端部は、第１ブレース側ブラケット６１を有している。第１楔材側ブラケット６０及び第１ブレース側ブラケット６１は、第１下部楔材４２を第１ブレース２０の下端部に連結するための連結部材と呼ぶこともできる。
【００３７】
第１ブレース側ブラケット６１は、大径部材２２の下端部に対して上下方向に揺動自在に取り付けられている。具体的には、第１ブレース側ブラケット６１は、金属製の板材からなり、大径部材２２の下端部を水平方向に挟むように形成された一対の連結板部６１ａ、６１ａを有している。連結板部６１ａ、６１ａは上下方向に略平行に延びている。仮設足場用手摺１は、一対の連結板部６１ａ、６１ａと大径部材２２の下端部とを水平方向に貫通する水平ボルト７０と、当該ボルト７０に螺合するナット７１とを備えている。ナット７１をボルト７０に螺合させることにより、第１ブレース側ブラケット６１が大径部材２２の下端部に連結される。ナット７１の締め付け力は、第１ブレース側ブラケット６１の上下方向への揺動を阻害しないように設定することができ、この状態で第１ブレース側ブラケット６１を上下方向に所望の角度となるまで揺動させた後、ナット７１を締め付けることで第１ブレース側ブラケット６１を締結固定することができる。
【００３８】
第１ブレース側ブラケット６１は略水平に突出する上板部６１ｂ及び下板部６１ｃを有している。上板部６１ｂと下板部６１ｃとは上下方向に所定の間隔をあけて配置されており、互いに略平行である。連結板部６１ａ、６１ａと上板部６１ｂ及び下板部６１ｃとは１枚の板材から一体成形されていてもよいし、別部材を組み合わせて一体化することによって構成されていてもよい。
【００３９】
第１楔材側ブラケット６０は、第１下部楔材４２が上下方向に挿通可能な空間を形成する本体板部６０ａと、第１下部楔材４２を連結する楔連結ピン６０ｂと、第１ブレース側ブラケット６１に支持される筒部６０ｃとを有している。本体板部６０ａ内の空間に第１下部楔材４２が挿通されるようになっている。本体板部６０ａ内の空間に第１下部楔材４２を挿通した状態で、第１下部楔材４２は楔連結ピン６０ｂによって本体板部６０ａに対して上下方向に移動可能に連結されている。第１下部楔材４２には、楔連結ピン６０ｂを相対的に上下方向に移動可能にするための長孔４２ａが形成されている。また、本体板部６０ａには、ポケットＰが嵌合する切欠部６０ｄが形成されている。第１下部楔材４２を上へ移動させた状態でポケットＰを切欠部６０ｄに嵌合させてから第１下部楔材４２を下へ移動させると、第１下部楔材４２がポケットＰの下部係止孔Ｐ４に差し込まれて第１ブレース２０の下端部が第２支柱１０１Ｂに連結される。
【００４０】
筒部６０ｃは上下方向に延びており、第１ブレース側ブラケット６１の上板部６１ｂと下板部６１ｃとの間に配置される。仮設足場用手摺１は、第１ブレース側ブラケット６１の上板部６１ｂ及び下板部６１ｃと筒部６０ｃを上下方向に貫通する上下方向ボルト７２と、当該ボルト７２に螺合するナット７３とを備えている。ナット７３を上下方向ボルト７２に螺合させることにより、第１楔材側ブラケット６０が第１ブレース側ブラケット６１に連結される。ナット７３の締め付け力は、第１楔材側ブラケット６０の水平方向への揺動を阻害しないように設定することができ、この状態で第１楔材側ブラケット６０を水平方向に所望の角度となるまで揺動させた後、ナット７３を締め付けることで第１楔材側ブラケット６０を締結固定することができる。
【００４１】
図２に示すように、第２ブレース３０の上端部は、水平材１０の第２支柱１０１Ｂ側の端部に対して上下方向に揺動自在に取り付けられている。例えば、水平材１０の延びる方向に対して直交する水平方向に延びる連結ピン５１によって第２ブレース３０の上端部が第２水平材１０ｂの第２支柱１０１Ｂ側の端部に連結されている。これにより、第２ブレース３０はその上端部を揺動中心として下端部が上下方向に移動するように揺動可能になる。第２ブレース３０も第１ブレース２０と同様に伸縮自在に構成されており、小径部材３１と大径部材３２とが組み合わされて構成されている。
【００４２】
第２下部楔材４３は、第２ブレース３０の下端部に対して上下方向に揺動自在に取り付けられ、この取付状態で水平方向にも揺動可能となっている。第２下部楔材４３の第２ブレース３０への取付構造は、第１下部楔材４２の第１ブレース２０への取付構造と同様である。すなわち、仮設足場用手摺１は、第２下部楔材４３を支持する第２楔材側ブラケット６３を備えている。また、第２ブレース３０の下端部である大径部材３２の下端部は、第２ブレース側ブラケット６４を有している。この第２ブレース側ブラケット６４は、大径部材３２の下端部に対して上下方向に揺動自在に取り付けられている。
【００４３】
（仮設足場用手摺１の取付要領）
図２は、第１支柱１０１Ａと第２支柱１０１Ｂとの間隔が広い場合を示しており、また、図７は、第１支柱１０１Ａと第２支柱１０１Ｂとの間隔が狭い場合を示している。図２に示す場合には、第１支柱１０１Ａと第２支柱１０１Ｂとの間隔に対応するように、水平材１０の長さを長くする。また、第１ブレース２０及び第２ブレース３０の長さも長くする。その後、仮設足場用手摺１を第１支柱１０１Ａ及び第２支柱１０１Ｂに取り付ける。すなわち、水平材１０に取り付けられている第１上部楔材４１及び第２上部楔材４０をそれぞれ第１支柱１０１ＡのポケットＰの上部係止孔Ｐ１及び第２支柱１０１ＢのポケットＰの上部係止孔Ｐ３に差し込む。
【００４４】
また、第２下部楔材４３の角度を第１支柱１０１ＡのポケットＰの下部係止孔Ｐ２へ差し込み可能な角度に調整した後、第２下部楔材４３を下部係止孔Ｐ２へ差し込む。また、第１下部楔材４２の角度を第２支柱１０１ＢのポケットＰの下部係止孔Ｐ４へ差し込み可能な角度に調整した後、第１下部楔材４２を下部係止孔Ｐ４へ差し込む。以上のようにして仮設足場用手摺１を第１支柱１０１Ａ及び第２支柱１０１Ｂに取り付けることができ、その後、足場板１０４を取り付ける。
【００４５】
一方、図７に示すように第１支柱１０１Ａと第２支柱１０１Ｂとの間隔が狭い場合には、第１支柱１０１Ａと第２支柱１０１Ｂとの間隔に対応するように、水平材１０の長さを短くする。また、第１ブレース２０及び第２ブレース３０の長さも短くし、第１ブレース２０及び第２ブレース３０の交差角度を変える。具体的には、第１ブレース２０及び第２ブレース３０の傾斜角度が小さくなるように、第１ブレース２０及び第２ブレース３０を動かす。その後、水平材１０に取り付けられている第１上部楔材４１及び第２上部楔材４０をそれぞれ第１支柱１０１ＡのポケットＰの上部係止孔Ｐ１及び第２支柱１０１ＢのポケットＰの上部係止孔Ｐ３に差し込む。
【００４６】
また、第２下部楔材４３の角度を第１支柱１０１ＡのポケットＰの下部係止孔Ｐ２へ差し込み可能な角度に調整した後、第２下部楔材４３を下部係止孔Ｐ２へ差し込む。また、第１下部楔材４２の角度を第２支柱１０１ＢのポケットＰの下部係止孔Ｐ４へ差し込み可能な角度に調整した後、第１下部楔材４２を下部係止孔Ｐ４へ差し込む。これにより、第１支柱１０１Ａと第２支柱１０１Ｂとの間隔が狭い場合であっても、広い場合と同じ仮設足場用手摺１を第１支柱１０１Ａ及び第２支柱１０１Ｂに取り付けることができる。
【００４７】
（実施形態の作用効果）
以上説明したように、この実施形態１によれば、水平材１０に取り付けられている第１上部楔材４１及び第２上部楔材４０をそれぞれ第１支柱１０１Ａの上部係止孔Ｐ１及び第２支柱１０１Ｂの上部係止孔Ｐ３に差し込み、また、第２ブレース３０の第２下部楔材４３及び第１ブレース２０の第１下部楔材４２をそれぞれ第１支柱１０１Ａの下部係止孔Ｐ２及び第２支柱１０１Ｂの下部係止孔Ｐ４に差し込むことで、仮設足場用手摺１が第１支柱１０１Ａ及び第２支柱１０１Ｂに取り付けられる。
【００４８】
第１支柱１０１Ａと第２支柱１０１Ｂの間隔が狭い場合には、水平材１０を縮めることで、第１上部楔材４１及び第２上部楔材４２をそれぞれ第１支柱１０１Ａの上部係止孔Ｐ１及び第２支柱１０１Ｂの上部係止孔Ｐ３に差し込むことが可能になる。また、第１支柱１０１Ａと第２支柱１０１Ｂの間隔が狭くなると、第１ブレース２０及び第２ブレース３０の傾斜角度が大きくなり、両ブレース２０、３０の交差角度が変わることになるが、第１下部楔材４２及び第２下部楔材４３は上下方向に揺動可能であるため、下部係止孔Ｐ４、Ｐ２にそれぞれ差し込むことができる。したがって、第１支柱１０１Ａと第２支柱１０１Ｂの間隔が変わってもその間隔の変化に追従させて共通の仮設足場用手摺１を使用できる。
【００４９】
（実施形態２）
図８〜図１０は、本発明の実施形態２に係るものである。この実施形態２では、第１ブレース２０及び第２ブレース３０の長さ変更が不可能である点で実施形態１のものとは異なっている。以下、実施形態１と同じ部分には同じ符号を付して説明を省略し、異なる部分について詳細に説明する。
【００５０】
この実施形態２では、図１１〜図１３に示すようなポケットクランプ８０を支柱１０１Ａ、１０１Ｂに固定し、そのポケットクランプ８０に仮設足場用手摺１の下側を取り付けるようにしている。ポケットクランプ８０は、支柱１０１Ａを径方向両側から挟持する第１挟持部材８１及び第２挟持部材８２と、連結軸８３と、ボルト８４と、ボルト支持軸８５と、ナット８６とを備えている。第１挟持部材８１及び第２挟持部材８２の基端部同士が連結軸８３によって回動自在に連結されている。第１挟持部材８１及び第２挟持部材８２は、図１２に示す開放状態と、図１１及び図１３に示す閉鎖状態との間で相対的に回動可能となっている。第２挟持部材８２の先端側には、連結軸８３と平行なボルト支持軸８５によって回動可能に支持されたボルト８４が設けられている。一方、第１挟持部材８１の先端側には、ボルト８４を径方向に挿入可能な切欠部８１ｂ（図１３に示す）を有する係止板８１ａが設けられている。
【００５１】
ポケットクランプ８０を開放状態にして第１挟持部材８１と第２挟持部材８２との間に支柱１０１Ａを配置した後、第１挟持部材８１と第２挟持部材８２を連結軸８３周りに相対的に回動させて第１挟持部材８１及び第２挟持部材８２によって支柱１０１Ａを径方向に挟持する。そして、ボルト８４をボルト支持軸８５周りに回動させて切欠部８１ｂに挿入してからナット８６を締め込むことで、第１挟持部材８１及び第２挟持部材８２が支柱１０１Ａを径方向に強固に挟持してポケットクランプ８０が支柱１０１Ａに固定される。支柱１０１Ｂにも同様にポケットクランプ８０を固定することができる。
【００５２】
ポケットクランプ８０には、４つのポケットＰＡが周方向に互いに間隔をあけて設けられている。図８及び図１０に示す例では、ポケットクランプ８０が仮設足場用手摺１の下側に対応するように配置されているので、第１支柱１０１Ａに固定されたポケットクランプ８０のポケットＰＡによって下部係止孔Ｐ２が構成され、また、第２支柱１０１Ｂに固定されたポケットクランプ８０のポケットＰＡによって下部係止孔Ｐ４が構成されることになる。
【００５３】
図８は、第１支柱１０１Ａと第２支柱１０１Ｂとの間隔が広い場合を示しており、また、図１０は、第１支柱１０１Ａと第２支柱１０１Ｂとの間隔が狭い場合を示している。図８に示す場合には、第１支柱１０１Ａと第２支柱１０１Ｂとの間隔に対応するように、水平材１０の長さを長くする。また、第１ブレース２０及び第２ブレース３０の長さは固定されているので、第１ブレース２０に取り付けられている第１下部楔材４２の高さに対応するように、第１支柱１０１Ａのポケットクランプ８０の高さを変更するとともに、第２ブレース３０に取り付けられている第２下部楔材４３の高さに対応するように、第２支柱１０１Ｂのポケットクランプ８０の高さを変更する。
【００５４】
その後、仮設足場用手摺１を第１支柱１０１Ａ及び第２支柱１０１Ｂに取り付ける。すなわち、水平材１０に取り付けられている第１上部楔材４１及び第２上部楔材４０をそれぞれ第１支柱１０１ＡのポケットＰの上部係止孔Ｐ１及び第２支柱１０１ＢのポケットＰの上部係止孔Ｐ３に差し込む。
【００５５】
また、第２下部楔材４３の角度を第１支柱１０１Ａの下部係止孔Ｐ２へ差し込み可能な角度に調整した後、第２下部楔材４３を第１支柱１０１Ａのポケットクランプ８０の下部係止孔Ｐ２へ差し込む。また、第１下部楔材４２の角度を第２支柱１０１Ｂのポケットクランプ８０の下部係止孔Ｐ４へ差し込み可能な角度に調整した後、第１下部楔材４２を下部係止孔Ｐ４へ差し込む。以上のようにして仮設足場用手摺１を第１支柱１０１Ａ及び第２支柱１０１Ｂに取り付けることができ、その後、足場板１０４を取り付ける。
【００５６】
一方、図１０に示すように第１支柱１０１Ａと第２支柱１０１Ｂとの間隔が狭い場合には、第１支柱１０１Ａと第２支柱１０１Ｂとの間隔に対応するように、水平材１０の長さを短くする。また、第１ブレース２０及び第２ブレース３０の交差角度を変える。具体的には、第１ブレース２０及び第２ブレース３０の傾斜角度が大きくなるように、第１ブレース２０及び第２ブレース３０を動かす。その後、水平材１０に取り付けられている第１上部楔材４１及び第２上部楔材４０をそれぞれ第１支柱１０１ＡのポケットＰの上部係止孔Ｐ１及び第２支柱１０１ＢのポケットＰの上部係止孔Ｐ３に差し込む。
【００５７】
また、第２下部楔材４３の角度を第１支柱１０１Ａのポケットクランプ８０の下部係止孔Ｐ２へ差し込み可能な角度に調整した後、第２下部楔材４３を下部係止孔Ｐ２へ差し込む。また、第１下部楔材４２の角度を第２支柱１０１Ｂのポケットクランプ８０の下部係止孔Ｐ４へ差し込み可能な角度に調整した後、第１下部楔材４２を下部係止孔Ｐ４へ差し込む。これにより、第１支柱１０１Ａと第２支柱１０１Ｂとの間隔が狭い場合であっても、広い場合と同じ仮設足場用手摺１を第１支柱１０１Ａ及び第２支柱１０１Ｂに取り付けることができる。
【００５８】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５９】
以上説明したように、本発明に係る仮設足場用手摺は、例えば、各種建築物の建築現場や土木作業現場で構築される仮設足場に使用することができる。
【符号の説明】
【００６０】
１            仮設足場用手摺
１０          水平材
２０          第１ブレース
３０          第２ブレース
４０          第２上部楔材
４１          第１上部楔材
４２          第１下部楔材
４３          第２下部楔材
６０          第１楔材側ブラケット
６１          第１ブレース側ブラケット
６１ａ        連結板部
６３          第２楔材側ブラケット
６４          第２ブレース側ブラケット
１００        仮設足場
１０１Ａ      第１支柱
１０１Ｂ      第２支柱
【要約】
【課題】支柱の間隔が変わってもその間隔の変化に追従させて共通の手摺を使用できるようにする。
【解決手段】水平材１０が伸縮自在に構成されている。第１ブレース２０の上端部及び第２ブレース３０の上端部は、水平材１０に対して上下方向に揺動自在に取り付けられている。第１下部楔材４２は、第１ブレース２０の下端部に対して上下方向に揺動自在に取り付けられている。第２下部楔材４３は、第２ブレース３０の下端部に対して上下方向に揺動自在に取り付けられている。
【選択図】図２【図１】
0006917657.tif 000002
【図２】
0006917657.tif 000003
【図３】
0006917657.tif 000004
【図４】
0006917657.tif 000005
【図５】
0006917657.tif 000006
【図６】
0006917657.tif 000007
【図７】
0006917657.tif 000008
【図８】
0006917657.tif 000009
【図９】
0006917657.tif 000010
【図１０】
0006917657.tif 000011
【図１１】
0006917657.tif 000012
【図１２】
0006917657.tif 000013
【図１３】
0006917657.tif 000014